(57)【要約】【課題】  １口容器にも２口容器にも使用可能で、操作性がよく、機能が安定している上に安価な開閉栓を得る。【解決手段】  栓体取付キャップ１１と栓本体２１と回転栓３１と逆止弁４１と弁キャップ５１で構成された開閉栓であって、逆止弁４１と弁キャップ５１で液保持空間５３を形成する。【選択図】  図１
2005187069.tif 000002
【特許請求の範囲】
【請求項１】
栓体取付キャップ１１と栓本体２１と回転栓３１と逆止弁４１と弁キャップ５１で構成された開閉栓であって、栓本体２１はキャップ取付部２２と回転栓ホルダー部２３がＴ字状に結合しており結合部は栓本体開口部２４で連通している。キャップ取付部２２は栓体取付キャップ１１に回転自在に結合している一方、回転栓ホルダー部２３にはこれも回転自在に回転栓３１が嵌合している。回転栓３１の上部側壁には開閉つまみ３３、中部側壁には回転栓開口部３２を有す。この回転栓上部には逆止弁４１が嵌合し、その上さらに弁キャップエアー口５２を有す弁キャップ５１がセットされており、この逆止弁４１と弁キャップ５１で液保持空間５３を形成している開閉栓。
【請求項２】
栓体取付キャップ１１と栓本体２１と回転栓３１と逆止弁４１で構成された開閉栓であって、栓本体２１はキャップ取付部２２と回転栓ホルダー部２３がＴ字状に結合しており結合部は栓本体開口部２４で連通している。キャップ取付部２２は栓体取付キャップ１１に回転自在に結合している一方、回転栓ホルダー部２３にはこれも回転自在に回転栓３１が嵌合している。回転栓３１の上部側壁には開閉つまみ３３、中部側壁には回転栓開口部３２を有す。この回転栓上部には逆止弁４１が嵌合している開閉栓。
【発明の詳細な説明】
【技術分野】
【０００１】
本発明は、容器口部に取付けて内液を適量分取するに際し使用する開閉栓に関する。
【背景技術】
【０００２】
従来一般に使用されている開閉栓は実開平１−１４４３６４に開示されているような、開閉栓自体に吸気機構を有しないタイプと、特開２００１−２４０１００や特開２００３−２６２９７に開示されているような吸気機構を有すタイプがある。
【特許文献１】実開平１−１４４３６４
【特許文献２】特開２００１−２４０１００
【特許文献３】特開２００３−２６２９７
【発明の開示】
【発明が解決しようとする課題】
【０００３】
実開平１−１４４３６４に開示されているような吸気機構を有しない開閉栓は、一般に２口容器等の開閉栓取付け口部以外に吸気部を有す容器に使用されており、使用に際しては開閉栓の操作に加えて吸気用開口部の操作もやらねばならない面倒がある。もちろん1口の容器には使用できない（あくまで減圧によっても収縮せず原型をとどめる容器の使用を前提とする）。
【０００４】
これに対し、特開２００１−２４０１００や特開２００３−２６２９７に開示されている開閉栓は吸気機構を有しているので1口容器に使用できるのはもちろん、操作も開閉栓の操作だけで済むので便利である。しかしどちらも改善の余地を有している。
【０００５】
特開２００１−２４０１００は１口容器・２口容器の両方で使用できる上、操作は開閉つまみの回転だけで済むという利点がある反面、回転栓の吐出部でエアー通路と液体通路が仕切り板で分離されていたり、ある曲率を持ったエアー管が配されていたりと構造が複雑である。その上、そのエアー管の先端が容易に動き、そのエアー管先端の向きによって吐出スピードが大きく振れるという問題点を有している。
【０００６】
一方、特開２００３−２６２９７も吸気機構を有しているので１口容器・２口容器の両方で使用可であるが、先の特開２００１−２４０１００に比べて操作が煩雑である。即ち、１口容器で使用する場合、内液充填直後のような容器内が大気圧と同等の吐出当初はエアー導入路を「閉」の状態にして吐出し、吐出が進んで容器内が減圧化しだすとそれに伴ない吐出スピードが減少するので、それを見計らってエアー導入路を「開」の状態に操作する必要がある。このように吐出操作には吐出開閉つまみに加えてエアー導入路つまみも操作しなければならない。
【０００７】
仮に内液充填直後のような容器内が大気圧と同等の吐出初期にエアー導入路を「開」の状態で吐出し始めた場合、容器内がある程度の減圧化されるまで、エアー導入路からも内液が噴出することになる。（１８リッター等の大型容器で、容器内液面が開閉栓位置に比べて十分高い位置にある場合）
【０００８】
また、容器内減圧後エアー導入路を「開」にした状態での内液吐出中に、容器本体に外圧がかかって（容器胴部を手で持つとかして）容器が凹んだような場合、容器内が加圧されることとなり、これが原因でエアー導入路からも内液が噴出する危険がある。
【課題を解決するための手段】
【０００９】
請求項１の手段としては、栓体取付キャップ１１と栓本体２１と回転栓３１と逆止弁４１と弁キャップ５１で構成された開閉栓であって、栓本体２１はキャップ取付部２２と回転栓ホルダー部２３がＴ字状に結合しており結合部は栓本体開口部２４で連通している。キャップ取付部２２は栓体取付キャップ１１に回転自在に結合している一方、回転栓ホルダー部２３にはこれも回転自在に回転栓３１が嵌合している。回転栓３１の上部側壁には開閉つまみ３３、中部側壁には回転栓開口部３２を有す。この回転栓上部には逆止弁４１が嵌合し、その上さらに弁キャップエアー口５２を有す弁キャップ５１がセットされており、この逆止弁４１と弁キャップ５１で液保持空間５３を形成する。
【００１０】
請求項２の手段としては、栓体取付キャップ１１と栓本体２１と回転栓３１と逆止弁４１で構成された開閉栓であって、栓本体２１はキャップ取付部２２と回転栓ホルダー部２３がＴ字状に結合しており結合部は栓本体開口部２４で連通している。キャップ取付部２２は栓体取付キャップ１１に回転自在に結合している一方、回転栓ホルダー部２３にはこれも回転自在に回転栓３１が嵌合している。回転栓３１の上部側壁には開閉つまみ３３、中部側壁には回転栓開口部３２を有す。この回転栓上部には逆止弁４１が嵌合している。
【発明の効果】
【００１１】
本発明開閉栓は吸気機構を有しているので１口容器はもちろん２口容器にも使用できる上に、構造的にもシンプルで、操作性も開閉つまみ３３の単純な開閉操作だけである。即ち、特開２００１−２４０１００のようにエアー管や仕切板のような部品がない上、エアー管先端の位置によって吐出スピードが振れたりするような機能的不安定要因もない。
【００１２】
また、特開２００３−２６２９７のように容器内の気圧によってエアー導入路を「開」にしたり「閉」にしたりするわずらわしさはない。即ち、容器内が大気圧と同等であるような場合、容器内が減圧化されるまでの間、当然弁キャップエアー口５２等からも内液は吐出しようとするが、逆止弁４１のところで自動的に止められるので全く問題なく、容器内がある程度まで減圧化すると今度は逆止弁４１が自動的に開通状態となりエアーがここから容器内に供給されるため、よどみなく吐出は継続される。
【００１３】
さらに、内液吐出中に容器胴部を手で持ったりして押し圧力が加わり、これによって胴部に凹みが生じたような場合、当然容器内は加圧されることになり内液は開閉栓の吐出口３４はもちろん、逆止弁４１からも吐出しようとするが、瞬間に逆止弁機能が働くことで逆止弁からの液漏れは防止される。
【００１４】
そして、液保持空間５３を設けたので逆止弁４１から若干の漏れがあっても一時的にこの部分に保持できるので、逆止弁のシール性が若干甘かったり作動性がやや遅れても栓外部への液漏れを防ぐことができる。
【実施例】
【００１５】
実施例１
図１は実施例１の断面図（開閉つまみが図２とは別の位置にある）で、図２は外観図、図３〜図９まではその構成部品図であり、図３は栓体取付キャップの半断面正面図と平面図、図４は栓本体の正面図と平面図、図５は図４中のＡＡ断面図、図６は回転栓の正面図と平面図、図７は図６中のＢＢ断面図、図８は逆止弁の半断面正面図と底面図、図９は弁キャップの半断面正面図と平面図である。
【００１６】
図１０から図１３は実施例１の各作動状態における断面図であり、図１０は閉栓状態を、図１１は第１吐出状態、図１２は第２吐出状態の断面図、図１３は第２吐出状態の容器も含めた全体断面図を示す。図１１の第１吐出状態は容器内が減圧化移行中の、または開閉栓以外の他からのエアー供給のある時の吐出状態で、逆止弁４１まで内液が達し逆止弁中へも液が進入しようとするが逆止弁中の弁ボール４２が通路を塞ぐことでこの進入を阻止する。
【００１７】
図１２及び図１３の第２吐出状態は容器内が減圧化した後の吐出状態を示し、外部エアーが弁キャップエアー口５２並びに逆止弁４１を通過して減圧化した容器内に供給される。この例は請求項１の例である
【００１８】
当開閉栓は１口容器とか２口容器（開閉栓取付け部以外に吸気部を有す容器）の違いや、１口容器に使用時の容器内部空間の気圧状態等を全く意識することなく何れにおいても使用可能となっている。
【００１９】
即ち、１口容器の場合は、開閉つまみ３３を回して開閉栓を「開」の状態にすることにより、最初容器内が大気圧と同じ時、逆止弁４１は液圧により自動的に閉じ、液は吐出口３４から吐出される（図１１の状態）。そして吐出とともに容器内が減圧化してくると逆止弁４１が自動的に開き、外部エアーが逆止弁を通って容器内に供給されるため、吐出は滞りなく継続される（図１２・図１３の状態）。
【００２０】
また、２口容器で開閉栓取付口の他にエアー供給口がある場合は、開閉つまみを回して開閉栓を「開」の状態にすると、逆止弁４１には常に液圧がかかるため逆止弁は閉じた状態を保つこととなり、内液は吐出口３４から滞りなく吐出することになる（図１１の状態）。
【００２１】
また、仮に内液吐出中容器胴部を手で持ったりして容器胴部に突発的な押し圧力がかかり、これにより容器内の気圧が高まり逆止弁４１部からも内液が漏れ出そうとしても、瞬間に逆止弁機構が働くので、この部分からの液漏れの心配はない。
【００２２】
実施例２
図１４は実施例２の断面図である。実施例１の弁キャップエアー口５２は弁キャップ５１の天面に設けたが、この例では弁キャップの側面に設けている。この例も請求項１の例である。
【００２３】
実施例３
図１５は実施例３の断面図である。前２例の弁キャップ５１を省き構成を簡略化している。これは逆止弁４１部からの若干の液漏れが許容される場合、あるいは逆止弁機能を完全にした場合等において採用できる構成である。この例は請求項２の例である。
【００２４】
実施例４
図１６は実施例４の吐出状態を示す断面図である。前例の逆止弁はボールタイプであったが、当逆止弁はスリット入りゴム状弾性体１６１を使用したタイプで、前例と同じく請求項２の例である。逆止弁上部に液保持空間を設けることも当然可能である。
【００２５】
実施例５
図１７は実施例５の断面図であり、前例とは別タイプの逆止弁使用例である。当逆止弁には発泡プラスチクや発泡ゴム等の低比重浮遊体１７１を使用している。この例も前２例同様請求項２の例である。
【００２６】
実施例６
図１８は実施例６の断面図であり、逆止弁バリエーションのさらに１例を示したものである。この例ではスプリング１８１を用いた逆止弁を使用している。
【図面の簡単な説明】
【００２７】
【図１】実施例１の断面図である。
【図２】実施例１の外観図である。
【図３】栓体取付キャップの半断面正面図と平面図である。
【図４】栓本体の正面図と平面図である。
【図５】図４中のＡＡ断面図である。
【図６】回転栓の正面図と平面図である。
【図７】図６中のＢＢ断面図である。
【図８】逆止弁の半断面正面図と底面図である。
【図９】弁キャップの半断面正面図と平面図である。
【図１０】閉栓状態の断面図である。
【図１１】第１吐出状態の断面図である。
【図１２】第２吐出状態の断面図である。
【図１３】第２吐出状態の容器も含めた全体断面図である。
【図１４】実施例２の断面図である。
【図１５】実施例３の断面図である。
【図１６】実施例４の吐出状態を示す断面図である。
【図１７】実施例５の断面図である。
【図１８】実施例６の断面図である。
【符号の説明】
【００２８】
１１  栓体取付キャップ
２１  栓本体
２２  キャップ取付部
２３  回転栓ホルダー部
２４  栓本体開口部
３１  回転栓
３２  回転栓開口部
３３  開閉つまみ
３４  吐出口
４１  逆止弁
４２  弁ボール
５１  弁キャップ
５２  弁キャップエアー口
５３  液保持空間
１６１  スリット入りゴム状弾性体
１７１  低比重浮遊体
１７２  リブ
１８１  スプリング
【図１】
2005187069.tif 000003
【図２】
2005187069.tif 000004
【図３】
2005187069.tif 000005
【図４】
2005187069.tif 000006
【図５】
2005187069.tif 000007
【図６】
2005187069.tif 000008
【図７】
2005187069.tif 000009
【図８】
2005187069.tif 000010
【図９】
2005187069.tif 000011
【図１０】
2005187069.tif 000012
【図１１】
2005187069.tif 000013
【図１２】
2005187069.tif 000014
【図１３】
2005187069.tif 000015
【図１４】
2005187069.tif 000016
【図１５】
2005187069.tif 000017
【図１６】
2005187069.tif 000018
【図１７】
2005187069.tif 000019
【図１８】
2005187069.tif 000020
【手続補正書】
【提出日】平成17年2月16日(2005.2.16)
【手続補正１】
【補正対象書類名】特許請求の範囲
【補正対象項目名】全文
【補正方法】変更
【補正の内容】
【特許請求の範囲】
【請求項１】
栓体取付キャップ１１と栓本体２１と回転栓３１と逆止弁４１と弁キャップ５１で構成された開閉栓であって、当該栓本体２１は両端が開口した筒状のキャップ取付部２４の一端が、これも両端開口した円筒状の回転栓ホルダー部２３の側壁にＴ字状に結合した形状をなし、この結合部は栓本体開口部２４で連通しており、キャップ取付部２４の他端は栓体取付キャップ１１に回転自在に嵌合する一方、上部には開閉つまみ３３、中部側壁には栓本体開口部２４に対応する回転栓開口部３２を有する円筒状の回転栓３１が栓本体２１の回転栓ホルダー部２３に回転自在に嵌合し、当該回転栓３１の上部には逆止弁４１が設けられ、さらにこの逆止弁４１には弁キャップエアー口５２を有する弁キャップ５１がセットされており、この逆止弁４１と弁キャップ５１で液保持空間５３を形成している開閉栓。
【請求項２】
栓体取付キャップ１１と栓本体２１と回転栓３１と逆止弁４１で構成された開閉栓であって、当該栓本体２１は両端が開口した筒状のキャップ取付部２４の一端が、これも両端開口した円筒状の回転栓ホルダー部２３の側壁にＴ字状に結合した形状をなし、この結合部は栓本体開口部２４で連通しており、キャップ取付部２４の他端は栓体取付キャップ１１に回転自在に嵌合する一方、上部には開閉つまみ３３、中部側壁には栓本体開口部２４に対応する回転栓開口部３２を有する円筒状の回転栓３１が栓本体２１の回転栓ホルダー部２３に回転自在に嵌合し、当該回転栓３１の上部には逆止弁４１が設けられた開閉栓。
【手続補正２】
【補正対象書類名】明細書
【補正対象項目名】０００９
【補正方法】変更
【補正の内容】
【０００９】
請求項１の手段としては、栓体取付キャップ１１と栓本体２１と回転栓３１と逆止弁４１と弁キャップ５１で構成された開閉栓であって、当該栓本体２１は両端が開口した筒状のキャップ取付部２４の一端が、これも両端開口した円筒状の回転栓ホルダー部２３の側壁にＴ字状に結合した形状をなし、この結合部は栓本体開口部２４で連通しており、キャップ取付部２４の他端は栓体取付キャップ１１に回転自在に嵌合する一方、上部には開閉つまみ３３、中部側壁には栓本体開口部２４に対応する回転栓開口部３２を有する円筒状の回転栓３１が栓本体２１の回転栓ホルダー部２３に回転自在に嵌合し、当該回転栓３１の上部には逆止弁４１が設けられ、さらにこの逆止弁４１には弁キャップエアー口５２を有する弁キャップ５１がセットされており、この逆止弁４１と弁キャップ５１で液保持空間５３を形成している開閉栓。
【手続補正３】
【補正対象書類名】明細書
【補正対象項目名】００１０
【補正方法】変更
【補正の内容】
【００１０】
請求項２の手段としては、栓体取付キャップ１１と栓本体２１と回転栓３１と逆止弁４１で構成された開閉栓であって、当該栓本体２１は両端が開口した筒状のキャップ取付部２４の一端が、これも両端開口した円筒状の回転栓ホルダー部２３の側壁にＴ字状に結合した形状をなし、この結合部は栓本体開口部２４で連通しており、キャップ取付部２４の他端は栓体取付キャップ１１に回転自在に嵌合する一方、上部には開閉つまみ３３、中部側壁には栓本体開口部２４に対応する回転栓開口部３２を有する円筒状の回転栓３１が栓本体２１の回転栓ホルダー部２３に回転自在に嵌合し、当該回転栓３１の上部には逆止弁４１が設けられた開閉栓。